(57)【要約】【課題】地震によって鋼板製物置小屋の錠を自動的に確実に解錠する装置と自動的に緊急放送する装置をシステムとして提供する。【解決手段】可動板が切り欠き部を塞ぐ位置に合わせて装置のベース板を戸当たり面の内側に取り付ける。ベース板の吊り下げ部に吊り下げられた振り子式錘が地震により揺れると、吊り下げ軸に連結されている円盤が引き外し板を下に押し下げる。引き外し板は軸を支点にして先端が左に移動し、ロックバーを押す。ロックバーは支点を中心に右回転し、爪部が右に開くため可動板から外れる。同時に連結桿に接続されたロックバーも支点を中心に左回転し、左に開くため可動板はスプリングによって上に移動する。従って、鍵フックは引っ掛かる部分がなくなり解錠される。この感震器と放送装置を介在させた防災システムにした。【選択図】図１
2014211072.tif 000002
【特許請求の範囲】
【請求項１】
電力を一切使用せず、振り子を利用した機械式感震器を用いて民家が倒壊するような大規模地震時に防災庫内の扉を自動解錠し、速やかに救命救助機器を取り出すことができる地震自動解錠装置と民家が倒壊するような大規模地震時に上記の機械式感震器からの信号を受けて自動的に火災防止の呼びかけ放送・避難誘導放送を行う放送装置で構成させることを特徴とする防災システム。
【発明の詳細な説明】
【技術分野】
【０００１】  本発明は、地震によって鋼板製物置小屋の錠を自動的に確実に解錠する装置と自動的に緊急放送する装置をシステムに関する。
【背景技術】
【０００２】  従来、地震揺れを検知して作動する自動解錠装置として、あるレベルを超える地震揺れを検知したら、自動的に施錠を解除し引き続いて引き戸を開放するものがあった。【００３】  しかしながら、地震時その揺れを検知して自動的に施錠を解除（以降、解錠と記す）し、引き戸（引き窓も同様）のみを開放するものであった。（特許文献１）（特許文献２）【０００４】  また、地震時に障子を自動的に面内方向に移動して開放できるようにしたものがある。（特許文献３）【０００５】  しかしながら、これらは、いずれも引き戸に関するものであった。
【先行技術文献】
【特許文献】
【０００６】
【特許文献１】特開２０００−３１００７２号公報
【特許文献２】特開平１１−１０７５９６号公報
【特許文献３】特開平９−８８４１０号公報
【発明の概要】
【発明が解決しようとする課題】
【０００７】  本発明が解決しようとする第一の課題は、振り子式感震器を用いて民家が倒壊するような大規模地震時に防災庫内の扉を自動解錠し、速やかに救命救助機器を取り出すことができる地震自動解錠装置を得ることである。【０００８】  本発明が解決しようとする第二の課題は、振り子式感震器を用いて感震器から信号を受けて自動的に火災防止の呼びかけ、誘導放送等を行うことである。
【課題を解決するための手段】
【０００９】「防災システム」を実施するためのスダンとして、（１）地震自動解錠装置と（２）自動放送装置ラーで構成させことにした。【００１０】（１）地震自動解錠装置の構造は、電力を一切使用せず、振り子を利用した機械式感震器を用いて民家が倒壊するような大規模地震時に防災庫内の扉を自動解錠し、速やかに救命救助機器を取り出すことが出来る構造にしている。【００１１】（２）自動放送装置の構造は、民家が倒壊するような大規模地震時に上記の機械式感震器からの信号を受けて自動的に火災防止の呼びかけ放送・避難誘導放送を行う放送装置の構造にしている。【００１２】（３）感震器の構造は、可動板が切り欠き部を塞ぐ位置に合わせて装置のベース板を戸当たり面の内側に取り付ける。ベース板の吊り下げ部に吊り下げられた振り子式錘が地震により揺れると、吊り下げ軸に連結されている円盤が引き外し板を下に押し下げる。引き外し板は軸を支点にして先端が左に移動し、ロックバーを押す。ロックバーは支点を中心に右回転し、爪部が右に開くため可動板から外れる。同時に連結桿に接続されたロックバーも支点を中心に左回転し、左に開くため可動板はスプリングによって上に移動する。従って、鍵フックは引っ掛かる部分がなくなり解錠される。
【発明の効果】
【００１３】  災害時における人命救助を第一とし、一人でも多くの人が助かる。これらが本発明の第一の効果である。【００１４】  本発明の防災庫用地震自動解錠装置・防災ボックス・門扉用地震自動解錠装置・無線拡声装置は従来製品より軽く小型化しメンテナンスが簡単にできる。これが、本発明の第二の効果である。【００１５】  阪神淡路大震災のテレビ放送で、倒壊した民家の下敷きになった人を火が迫る中で助けようとした人の談話として「バール一本あったなら助けられたのに」と、言った方がおられた。その後、多くの自治体や自治会・町内会あるいは一部の企業で防災庫が設置されるようになったが、合い鍵の管理は複数の人によってのみ行っているのが現状である。管理は、４人より５人、５人より６人の方が安全率は高いので当該解錠装置は、その内の一人分として開発を行ったものであり、万一鍵の到着が遅れた場合でも救助共助が可能である。【００１６】  また、自動放送用の無線拡声装置については、センサードライブから信号を受けて、「ガスの元栓・電気のブレーカー等を切るように」などと予め録音しておいた音声で呼びかけるものであるので、地震の二次災害である火災による被害を未然に防ぐことに寄与する。
【図面の簡単な説明】
【００１７】
【図１】  本発明の機械式感震器標準型の正面と、自動放送装置に信号を送るマイクロスイッチを装備したタイプの斜視を示す図である。
【図２】  防災庫内の扉に自動解錠装置を取り付けた状態と複数の防災庫扉の合い鍵を保管する鍵ボックスの構造を示す図である。
【図３】  避難所の門扉を解錠する装置の構造を示す図である。
【図４】  自動的に火災防止の呼びかけ放送・避難誘導放送を行う放送装置の外観正面図である。
【図５】  防災庫に地震自動解錠装置を取り付けた構造を示す図である。
【図６】  複数の防災庫扉の合い鍵を保管する鍵ボックスに地震自動解錠装置を取り付けた構造を示す図である。
【図７】  避難所の門扉に地震自動解錠装置を取り付けた構造を示す図である。
【図８】  地震自動無線拡声装置のブロック図である。
【図９】  地震自動無線拡声装置のスイッチ部の回路図である。
【発明を実施するための形態】
【００１８】  以下、本発明の実施例を図面に基づいて記述する。
「図１」に、本発明の機械式感震器標準型の正面図と、自動放送装置に信号を送るマイクロスイッチを装備したタイプの斜視図を示している。これが、感震器の実施例である。
【実施例】
【００１９】（１）「自動解錠装置」の実施例として、「図２」と「図３」に示している。【００２０】  その１として、防災庫内の扉に自動解錠装置を取り付けた状態を「図２」の左に示している。
その２として、複数の防災庫扉の合い鍵を保管する鍵ボックスの構造を「図２」の右に示している。【００２１】  その３として、避難所の門扉を解錠する装置の構造を「図３」に２種類を示している。【００２２】（２）避難誘導放送を行う放送装置の実施例として、「図４」に示した。
「１６」は、固定ポール型地震自動無線拡声装置であり、「１７」は、可搬式地震自動無線拡声装置の太陽光電池である。さらに、「１８」可搬式地震自動無線拡声装置の拡声器を示している。また、これらを「１９」の業務連絡用無線機が補完している。【００２３】  地震自動解錠装置の構造の具体例として、防災庫に地震自動解錠装置を取り付けた構造を「図５」に、複数の防災庫扉の合い鍵を保管する鍵ボックスに地震自動解錠装置を取り付けた構造を「図６」に、避難所の門扉に地震自動解錠装置を取り付けた構造を「図７」に示している。【００２４】  「２０」は、地震自動解錠装置を取り付けた防災庫の内部の構造を示しており、「２１」は、地震自動解錠装置を取り付けた防災庫の連結装置であり、「感震器」と「錠前」を連結する構造を示している。さらに「２２」は、地震自動解錠装置を取り付けた防災庫の解錠部の構造を解説している。【００２５】  「２３」は、鍵ボックス自動解錠装置であり、「２４」は、地震自動解錠装置付き鍵ボックスの正面扉を、「２５」は、地震自動解錠装置付き鍵ボックスの本体を示している。【００２６】  自動放送装置の構造の具現化の例として、地震自動無線拡声装置のブロック図を「図８」に示し、地震自動無線拡声装置のスイッチ部の回路図を「図９に示している。
【産業上の利用可能性】
【００２７】    津波からの避難用のビル等への避難路の扉の自働開錠装置としても利用できる。
【符号の説明】
【００２８】１０    標準型機械式感震器
１１    マイクロスイッチ付感震器
１２    自動解錠装置付き防災庫
１３    自動解錠装置付き鍵ボックス
１４    自動解錠装置付きフェンス門扉
１５    自動解錠装置付き片開き門扉
１６    固定ポール型地震自動無線拡声装置
１７    可搬式地震自動無線拡声装置の太陽光電池
１８    可搬式地震自動無線拡声装置の拡声器
１９    業務連絡用無線機
２０    地震自動解錠装置を取り付けた防災庫の構造
２１    地震自動解錠装置を取り付けた防災庫の連結装置
２２    地震自動解錠装置を取り付けた防災庫の解錠部
２３    鍵ボックス自動解錠装置
２４    地震自動解錠装置付き鍵ボックスの正面扉
２５    地震自動解錠装置付き鍵ボックスの本体
２６    避難所の門扉を解錠する装置
２７    門扉の貫抜き解錠装置
【図１】
2014211072.tif 000003
【図２】
2014211072.tif 000004
【図３】
2014211072.tif 000005
【図４】
2014211072.tif 000006
【図５】
2014211072.tif 000007
【図６】
2014211072.tif 000008
【図７】
2014211072.tif 000009
【図８】
2014211072.tif 000010
【図９】
2014211072.tif 000011